(57)【要約】【課題】携帯電話の充電中の発熱を一定値以内に抑えることのできる携帯無線装置を提供する。【解決手段】本発明の携帯無線装置は、複数種類のアプリケーションをメモリに記憶させた携帯無線装置であって、前記携帯無線装置に外部電力を供給する外部電源入力部と、前記アプリケーションの起動状況に応じて前記外部電源入力部から供給される電流を遮断または減少させる電流制限部とを備えている。アプリケーションの起動状況に応じて、電源入力部から供給される電力を遮断または減少するため、装置全体の負荷を検知し、負荷に伴う発熱を低減することができる。【選択図】図１
2007281911.tif 000002
【特許請求の範囲】
【請求項１】
複数種類のアプリケーションをメモリに記憶させた携帯無線装置であって、
前記携帯無線装置に外部電力を供給する外部電源入力部と、
前記アプリケーションの起動状況に応じて前記外部電源入力部から供給される電力を遮断または減少させる電力制限部と、
を備えた携帯無線装置。
【請求項２】
前記電力制限部は、所定のアプリケーションが起動しているとき、前記外部電源入力部から供給される電力を遮断または減少させることを特徴とした請求項１に記載の携帯無線装置。
【請求項３】
前記所定のアプリケーションはＴＶ電話機能またはＴＶ放送受信機能とすることを特徴とする請求項２に記載の携帯電話装置。
【請求項４】
前記電力制限部は、前記アプリケーションが所定数以上起動している場合に、前記外部電源入力部から供給される電力を遮断または減少させることを特徴とした請求項１または請求項２に記載の携帯無線装置。
【請求項５】
装置全体または一部の消費電力を検知する消費電力検知機能とを備え、
前記電力制限部は前記アプリケーションの起動中の前記消費電力に応じて、前記外部電源入力部から供給される電力の減少量を制御させることを特徴とした請求項１から請求項４のいずれか１項に記載の携帯無線装置。
【請求項６】
前記電力制限部は前記アプリケーションの起動中の受信無線強度または送信無線強度、またはその双方に応じて、前記外部電源入力部から供給される電力の減少量を制御させることを特徴とした請求項１から請求項４のいずれか１項に記載の携帯無線装置。
【請求項７】
前記電力制限部は、前記外部電源入力部から供給される電力を所定時間の間に所定量低減することを特徴とした、請求項１から請求項６のいずれか１項に記載の携帯無線装置。
【請求項８】
前記外部電源入力部の１つはＵＳＢ電源からの電力を入力することを特徴とする請求項１から請求項７のいずれか１項に記載の携帯無線装置。
【請求項９】
前記外部電源入力部から供給される電力を抑制または停止していることを表示する表示手段を有した、請求項１から請求項８のいずれか１項に記載の携帯無線装置。
【請求項１０】
前記表示手段が、アプリケーション選択画面や電話番号等を表示する表示部の一部領域を使用したことを特徴とした、請求項９に記載の携帯無線装置。
【請求項１１】
複数種類のアプリケーションがメモリに記憶された携帯無線装置の外部電源入力制御方法であって、
外部電源を接続し前記携帯無線装置に外部電力を供給する外部電源入力手順と、
前記アプリケーションの起動状況を検知する手順と、
前記起動状況に応じて前記外部電源入力部から供給される電力を遮断または減少させる制御手順と、
を備えた携帯無線装置の外部電源入力抑制方法。
【請求項１２】
複数種類のアプリケーションがメモリに記憶された携帯無線装置に、
携帯無線装置に外部電源を接続し前記携帯無線装置に外部電力を供給する外部電源入力手順と、
前記アプリケーションの起動状況を検知する手順と、
前記起動状況に応じて前記外部電源入力部から供給される電力を遮断または減少させる制御手順と、
を実行させる携帯無線装置の外部電源入力抑制プログラム。
【発明の詳細な説明】
【技術分野】
【０００１】
本発明は、携帯電話等の携帯無線装置に関する。
【背景技術】
【０００２】
近年携帯電話は、小型化・薄型化に加えて、電話，メール，カメラの他にも多機能化が進み、ＴＶ電話，ＴＶ放送受信などの多種類のアプリケーションを実装している。これにともない、携帯電話の消費電力は増加し、必然的にその発熱量も増加している。過度の発熱は、熱に弱いチップや素子に悪影響を及ぼす。また携帯電話を持つ手に低温火傷を引き起こす可能性もあるため、対策が必須である。携帯電話では、電池の充電を行うために、家庭用ＡＣ電源をＤＣ変換して携帯電話に電力を供給する充電器や、車載バッテリＤＣ電源を電圧変換して携帯電話に電力を供給する充電器が接続される。
【０００３】
また、近年では、パーソナルコンピュータのＵＳＢポートの電源から携帯電話に電力を供給する専用の充電ケーブルが接続されることもある。これらの充電器や充電ケーブルが接続された場合には、電池の劣化や電力を供給するパーソナルコンピュータ側の破壊を防ぐために、携帯電話側で電流制限をかけることが考えられるが、一般的に電流制限はＦＥＴのドレイン−ソース間の抵抗値をゲートの電圧を制御することで行われるため、このＦＥＴでの電力損失が熱となり、その発熱量は装置全体の発熱量に対して無視できない値とある。
従来から、携帯電話等の携帯無線装置の充電中の発熱を低減する技術が提案されている（特許文献１、特許文献２）。
【０００４】
例えば、特許文献１は、温度センサーを用いる方法により、充電中の機器の発熱を検知し、低減する技術が開示されている。また特許文献2には、送信部がデータ送信状態であるかどうかを検知し、電池の充電電流を制御することにより、充電中の発熱を低減する技術が開示されている。
【特許文献１】特公平７−１１４３８２号公報
【特許文献２】特開２００４−１０４９１０号公報
【発明の開示】
【発明が解決しようとする課題】
【０００５】
しかしながら、従来の携帯無線装置には、次のような問題点がある。
【０００６】
特許文献１の方法は、温度センサーを用いて発熱を検知するため、温度センサーを設置した箇所の近傍のみしか温度を測定することが出来ないため、温度センサー近傍以外の発熱を的確に検知できないという問題があった。また温度センサーを複数設けて発熱を的確に検知した場合には、装置の小型化・薄型化の要求への弊害となってしまうという問題があった。
また，特許文献２の方法は、送信部がデータ送信状態であるか判定し、送信状況に応じて充電電流を抑制するため、送信部以外の部位が原因の発熱を適切に検知することができない。そのためこの方法では、データの送信はしないが、高負荷のアプリケーションが起動し、装置に発熱が生じている場合は、発熱を検知できないという問題があった。またこの方法では、充電電流のみを制御しているため、充電器や充電ケーブルから供給される電力をアプリケーションの動作時に直接使用する回路構成である場合には十分な効果が得られないという問題があった。
【０００７】
さらに携帯電話は、パーソナルコンピュータのＵＳＢポートと充電ケーブルによって接続し、充電（以下ＵＳＢ充電と呼ぶ）することができるが、ＵＳＢ充電の場合には、パーソナルコンピュータから定格以上の電流を引き出そうとするとパーソナルコンピュータが破壊されたり、保護回路が働いて電流が供給されなくなったりするため、充電ケーブルにて電流制限をかけるような構成でない場合には、携帯電話側で常に電流制限をかけて供給電流がパーソナルコンピュータの定格を越えないようにすることが必要であり、発熱の問題がより深刻となる。しかし、特許文献１、２の技術では、ＵＳＢ充電とその他の充電とを区別する手段がないため、より適切な方法により発熱を低減することができなかった。
本発明は、前述した課題に鑑みてなされたものであり、発熱を一定値以内に抑えることのできる携帯無線装置を提供することを目的とする。
【課題を解決するための手段】
【０００８】
上記目的を達成するために、本発明の携帯無線装置は、複数種類のアプリケーションをメモリに記憶させた携帯無線装置であって、前記携帯無線装置に外部電力を供給する外部電源入力部と、前記アプリケーションの起動状況に応じて前記外部電源入力部から供給される電力を遮断または減少させる電力制限部とを備えている。
【０００９】
上記構成により、本発明にかかる携帯無線装置は、アプリケーションの起動状況に応じて、電源入力部から供給される電力を遮断または減少するため、装置全体の負荷を検知し、負荷に伴う発熱を低減することができる。また上記構成であれば、温度センサーを設ける必要がなくなり、部品点数を削減できる。
【００１０】
また本発明は、前記電力制限部が、所定のアプリケーションが起動しているとき、前記外部電源入力部から供給される電力を遮断または減少させるものである。
【００１１】
上記構成により、所定のアプリケーションが起動している場合にのみ、外部電源入力部から供給される電力を遮断または減少するため、装置に高負荷がかかり発熱を生じるアプリケーションが起動している場合に発熱を低減することができるとともに、低負荷のアプリケーションが起動している場合には通常の充電を行うことにより、充電を効率よく行うことができる。
【００１２】
また本発明は，前記所定のアプリケーションがＴＶ電話機能またはＴＶ放送受信機能とするものである。
【００１３】
上記構成により，例えば外部給電をしながら高負荷のアプリケーションであるＴＶ電話またはＴＶ放送受信を起動している場合に、的確に発熱を低減することができる。
【００１４】
また本発明は、前記電力制限部が、前記アプリケーションが所定数以上起動している場合に、前記外部電源入力部から供給される電力を遮断または減少するものである。
【００１５】
上記構成により、低負荷のアプリケーションであっても、複数同時に起動し、総合的には携帯無線装置に高負荷がかかっている場合に、外部電源入力部から供給される電力を遮断または減少するため、効率よく発熱を低減することができる。
【００１６】
また本発明の携帯無線装置は、装置全体または一部の消費電力を検知する消費電力検知機能とを備え、前記電力制限部は前記アプリケーションの起動中の前記消費電力に応じて、前記外部電源入力部から供給される電力の減少量を制御するものである。
【００１７】
上記構成によれば、アプリケーション起動中の消費電力によって携帯無線装置にかかる負荷を検知することができる。またそれに応じて外部電源入力部から供給される電力の減少量を制御するため、効率よく発熱を低減することができるとともに、電池の放電を極力抑えることができる。
【００１８】
また本発明の携帯無線装置は、前記アプリケーションの起動中の受信無線強度または送信無線強度、またはその双方に応じて、前記外部電源入力部から供給される電力の減少量を制御するものである。
【００１９】
上記構成によれば、受信無線強度または送信無線強度、またはその双方に応じて外部電源入力部から供給される電力の減少量を制御するため、効率よく発熱を低減することができるとともに、電池の放電を極力抑えることができる。
【００２０】
また本発明の携帯無線装置は、前記電力制限部が、前記外部電源入力部から供給される電力を所定時間の間に所定量低減することを特徴とするものである。
【００２１】
上記構成により、アプリケーションの起動時から、アプリケーションを起動して所定時間経過後にかけて徐々にあるいは段階的に外部電源入力部から供給される電力を抑制する。発熱はアプリケーション起動時から徐々に生じるため、それに応じて電力を低減させることにより、効率よく発熱を低減することができるとともに、電池の放電を極力抑えることができる。
【００２２】
また本発明の携帯無線装置は、前記外部電源入力部の１つはＵＳＢ電源からの電力を入力することを特徴としている。
【００２３】
上記構成により、発熱の問題の生じやすいＵＳＢ充電の時に的確に発熱を抑制する事ができる。
【００２４】
また本発明の携帯無線装置は、さらに１つまたは２つ以上の外部電源入力部から供給される電力を減少または遮断していることを表示する表示手段を有している。
【００２５】
上記構成によりユーザは充電電力が減少、遮断していることを知る事ができる。
【００２６】
また本発明の携帯無線装置は、前記表示手段が、アプリケーション選択画面や電話番号等を表示する表示部の一部領域を使用したことを特徴としている。
【００２７】
上記構成により、ユーザは充電電力が減少、遮断していることを知る事ができるとともに、外部電源入力部から供給される電力を減少または遮断していることを表示するための部品を削減することができる。
【００２８】
また本発明の携帯無線装置の外部電源入力抑制方法は，外部電源を接続し前記携帯無線装置に外部電力を供給する外部電源入力手順と、前記アプリケーションの起動状況を検知する手順と、前記起動状況に応じて前記外部電源入力部から供給される電力を遮断または減少させる制御手順とを備えている。
【００２９】
また本発明の携帯無線装置の外部電源入力抑制プログラムは，複数種類のアプリケーションがメモリに記憶された携帯無線装置に、携帯無線装置に外部電源を接続し前記携帯無線装置に外部電力を供給する外部電源入力手順と、前記アプリケーションの起動状況を検知する手順と、前記起動状況に応じて前記外部電源入力部から供給される電力を遮断または減少させる制御手順とを携帯無線装置に実行させるものである。
【発明の効果】
【００３０】
以上、説明したように、本発明の携帯無線装置および携帯無線装置の外部電源入力抑制方法によれば、的確に携帯無線装置の発熱を抑制することができる。
【発明を実施するための最良の形態】
【００３１】
（実施例１）
以下、本発明の実施の形態について図を用いて説明する。
【００３２】
図1は、本発明の第１の実施例に係る携帯無線装置の構成を示すブロック図である。第１の実施例にかかる携帯無線装置として、携帯電話１００を例に説明する。
【００３３】
携帯電話１００は、各回路部に電力を分配する電源回路部１と、電源回路部１に電力を供給する電池部２と、アプリケーションが格納されたメモリ部３と、表示部４と、操作部５と、メモリ部３のアプリケーションを呼出して実行し、各部の制御を行うＣＰＵ部６と、外部電源と接続するための第１の外部電源入力部７と、第２の外部電源入力部８と、外部電源が接続されたことを検出するとともにＣＰＵ部６からの制御により外部電源の通電を制御する外部電源接続検出・通電制御部９と、電池部２の電圧を検出する電圧検出部１０と、電池部２に入力する電流または入出力電流を検出する電流検出部１１と、外部電源入力部７及び第２の外部電源入力部８から供給される電流を制限する電流制限部１２と、電圧検出部１０で検出された電圧と電流検出部１１で検出された電流及びＣＰＵ部からの制御を基に電流制限部１２を制御する電流制限制御部１３と、ＣＰＵ部６が外部電源入力部７から供給される電流を低減しているか否かを表示する外部電源供給抑制表示部１４と、通信信号の送受信を行う無線送受信回路部１５と、アンテナ１６とを備えている。
【００３４】
次に、携帯電話１００の各構成要素について詳細に説明する。
【００３５】
電源回路部１は、ＤＣ／ＤＣコンバータ，レギュレータ等で構成される。電源回路部１は、電池部２から供給された電力をそのまま、或いは電圧を一定にして、メモリ部３、表示部４、操作部５、ＣＰＵ部６、外部電源抑制表示部１４、無線送受信回路部１５等の各回路部に対して電力を給電する。電力の供給は矢印で表現した（以下、本明細書中にて同じ）。
【００３６】
電池部２は、繰り返し充電可能な２次電池であり、リチウムイオン電池等で構成されている。
【００３７】
メモリ部３は、不揮発性メモリと揮発性メモリで構成される。不揮発性メモリには、携帯電話１００で実行するＴＶ電話、電話帳、ブラウザ、電子メール、ゲーム、音楽プレーヤー機能、ＴＶ放送受信、ＧＰＳ機能等のアプリケーションが登録され、揮発性メモリはこれらのアプリケーションを実行する際にＣＰＵ部によって使用される。なお、不揮発性メモリにはこれらユーザが選択可能なアプリケーションの他に周辺デバイスを制御するデバイスドライバや、ソフトウェア全体を制御するOS、音声・オーディオ・画像・映像などのマルチメディア処理やSSL・TCP/IPなどのモバイルインターネット通信の処理を行うアプリケーションがある。
表示部４は液晶ディスプレイで構成される。表示部４は、メモリ部３に搭載されているアプリケーションをユーザが選択できるよう画面にアプリケーションを起動するアイコン等を表示する。また、当該アプリケーションを実行した際に必要な画像や文字を表示する。例えば表示部４は、ＴＶ電話等のアプリケーションを実行した際には相手方の映像を出力し、電話帳を起動したときには、電話帳を表示する。
【００３８】
操作部５は、キー入力部であり、操作キーや文字キー等で構成される。ユーザは、操作部５を操作する事により、表示部４に表示された前記アイコンを選択し、任意のアプリケーションの起動・終了操作をすることができる。また、操作部５は，文字や数字等を入力するために用いられる。
【００３９】
ＣＰＵ部６は、ＣＰＵ，インターフェース回路，レジスタ等により構成され、ユーザによる前記操作部５の操作により選択されたアプリケーションをメモリインタフェース経由でメモリ部３から呼出して実行し、内部バスインターフェースや外部インターフェース経由で該アプリケーションに応じて表示部４および各回路を制御する。CPU6には、アプリケーションが起動されたか否かを表すフラグ領域があり、アプリケーション毎の起動状態を保持する。ＣＰＵ部６は、OSのマルチタスキング処理により、時分割でＣＰＵ部６の制御を切り替えることによりアプリケーションが、同時に複数起動できるように構成されている。例えば音楽プレーヤーを起動して音楽を聴きながら、電子メール機能を起動してメールを作成するというようなことができる。
【００４０】
また、ＣＰＵ部６は、外部電源接続検出・通電制御部９から、第１の外部電源入力部７または第２の外部電源入力部８に外部電源が接続されたことを示す外部電源検出信号を受け取るように構成されている。２つの外部電源が同時に接続された場合には、どちらの外部電源を選択するのかを指示する信号を外部電源接続検出・通電制御部９に送信する。
【００４１】
さらに、ＣＰＵ部６は、外部電源入力部からの電流を抑制するための信号を送信するように構成されている。
【００４２】
第１の外部電源入力部７は、家庭用ＡＣ電源をＤＣ変換して携帯電話に電力を供給する充電器や、車載バッテリＤＣ電源を電圧変換して携帯電話に電力を供給する充電器から電力供給を受ける回路部であり、充電器インターフェースと接続をＯＮ／ＯＦＦするスイッチ回路で構成される。
【００４３】
第２の外部電源入力部８は、パーソナルコンピュータのＵＳＢポートの電源から携帯電話に電力を供給する専用の充電ケーブルから電力供給を受ける回路部であり、充電ケーブルインターフェースと接続をＯＮ／ＯＦＦするスイッチ回路で構成される。
【００４４】
外部電源接続検出・通電制御部９は、第１の外部電源入力部７または第２の外部電源入力部８に外部電源が接続されたことを検出する回路と、第１の外部電源入力部７または第２の外部電源入力部８に外部電源が接続されたことを示す外部電源検出信号をＣＰＵ部６に送信する回路とで構成される。
【００４５】
なお、この外部電源検出信号によりＣＰＵ部６は、外部電源入力部７または外部電源入力部８のどちらが接続がれているのか識別できる。
【００４６】
また、外部電源接続検出・通電制御部９は、２つの外部電源が同時に接続された場合にどちらを選択するのかを指示する信号をＣＰＵ部６から受け取る。
【００４７】
電圧検出部１０は、電池部２の電圧を検出する回路であり、電池電圧が所定値を超えないように外部電源からの供給電流を制御するフィードバック制御回路の一部として機能する。
【００４８】
電流検出部１１は、外部電源からの供給電流を検出する回路であり、外部電源からの供給電流が所定値を超えないように制御するフィードバック制御回路の一部として機能する。
【００４９】
電流制限部１２は、ＭＯＳＦＥＴで構成され、外部電源からの供給電流を制御することができるように構成されている。
【００５０】
電流制限制御部１３は、電圧検出部１０で検出された電池電圧値と電流検出部１１で検出された外部電源からの供給電流値を基に、電池電圧および外部電源からの供給電流が所定値を超えないように電流制限部１２を制御するとともに電池部２の残量をモニタする。
【００５１】
電池電圧と外部電源からの供給電流の所定値は、ＣＰＵ部６から電流制限制御部１３に与えられる。電池部２の残量情報は電流制限制御部１３からＣＰＵ部６に送られ、ＣＰＵ部６は、その残量を表示部４に表示する。
【００５２】
また電流制限制御部１３は、外部電源入力部からの電流を抑制するための信号をＣＰＵ部６から受けると、電流制御部１２に外部電源からの供給電流を抑制するための信号を送り、電流制限部１２が外部電源からの供給電流を抑制する。
【００５３】
外部電源抑制表示部１４は、１つ以上のＬＥＤで構成され、通常の充電の場合には所定の光波長分布で点灯し、外部電源からの供給電流を減少した場合には、それに対応した光波長分布で点灯または点滅するように構成されている。また、外部電源からの供給電流を遮断した場合には消灯するように構成されている。
【００５４】
無線送受信回路部１５は、変調回路、復調回路などのアナログ信号処理回路やベースバンド信号処理部により構成され、Eメールや，電話，TV電話などにおいて通信するためのデータの送受信処理を行う。無線送受信回路部１５により変調されたデータはアンテナ１６により送信される。また、アンテナ１６により受信されたデータは無線送受信回路部１５により復調される。
【００５５】
次に本発明に係る携帯電話の動作について図２のフローチャートにより説明する。
【００５６】
ステップＳ１００で第１の外部電源入力部７または第２の外部電源入力部８に外部電源が入力された場合、外部電源接続検出・制御部９は第１の外部電源入力部７または第２の外部電源入力部８に外部電源が接続されたことを示す外部電源検出信号をＣＰＵ部６に送信する。
【００５７】
ステップＳ１０１で、電流制限制御部１３は，電池部２の電池残量が所定値以上であるか否かを調べる。電池電圧が4.2V以上の場合は充電を行わず（ステップS１０２）、これよりも小さい場合は充電を行う。
ここで電池部２の残量は、外部電源が供給されてない場合の電池部２の電圧と、電池部２の満充電の場合の電圧を比較して得られる。電池部２が満充電の場合とは、電池部２に外部電源を供給し続け、定電圧充電に移行し、電流検出部１１に流れる電流が所定値以下の場合を意味する。通常電池部２が満充電の状態では外部電源からの電力供給は行わない。
電池部２の電池残量が4.2Vよりも小さい場合には，ステップＳ１０３へ進む。ステップＳ１０３では、アプリケーションが起動中であるか否かを判断する。
ＣＰＵ部６は，アプリケーションが起動されたか否かを表すフラグ領域を参照し、アプリケーションが起動中であるか否かを調べる。アプリケーションが起動中であると判断した場合、ＣＰＵ部６は、電流制限制御部１３に外部電源入力部からの電流を抑制するための信号を送信する。
電源制限制御部１３は外部電源入力部からの電流を抑制するための信号を受けると、電流制限部１２を制御し、電源から入力される電力を減少、または遮断する（ステップＳ１０４）。
【００５８】
ＣＰＵ部６はフラグ領域においてフラグが１であるものがひとつでもあれば、外部電源からの供給電流を遮断または減少させるように制御する。ここで、外部電源からの供給電流を遮断するとは、全ての回路が電池部２の電力により動作することを意味し、外部電源からの供給電流を減少させるとは、全ての回路の総消費電力が外部電源から供給される電力よりも大きい場合には、その不足分を電池部２の電力から充当することを意味し、これらの場合には電池部２の充電は行われない。
このとき、外部電源抑制表示部１４のＬＥＤは対応した光波長分布で点灯またはあるいは点滅する。アプリケーションが起動中でない場合には、電流制限制御部１３は外部電源から入力される電力を装置に給電する（ステップＳ１０５）。
【００５９】
ＣＰＵ部６がアプリケーションを実行していない場合、外部電源からの供給電流は、ほぼ電池部２の充電に利用される。この場合、外部電源からの供給電流は、電流制限制御部１３により、電流制限部１２を構成するMOSFETのゲート電圧を変化させる事によって調節され、調節された電力が電池部２に供給される。通常の充電の場合、電流制限制御部１３は、電圧検出部１０で検出された電圧値が所定値以下であれば、電流が一定になるように電流制限部１２を構成するMOSFETのゲート電圧を制御して、定電流充電を行う。電圧値が所定値に達すると、電圧が一定になるようにMOSFETのゲート電圧を制御して、定電圧充電が行われる。さらにＣＰＵ部６から電流制限制御部１３に外部電源供給電流抑制信号が送られると、外部電源から供給される電流を低減または抑制する。
このとき、外部電源抑制表示部１４のＬＥＤは所定の光波長分布で点灯する。電池部２が満充電であれば外部電源から入力される電力を装置に給電しない（ステップＳ１０２）。このとき外部電源抑制表示部１４のＬＥＤは消灯する。
このようにアプリケーションの起動と同時に装置の負荷を検知し、アプリケーションの起動状態に応じて外部電源から入力される電力を制御することにより、発熱を予め予期し、アプリケーションの起動後の装置全体の負荷に伴う発熱を効率よく低減することができる。また本構成は、温度センサーを設ける必要がなくなり、部品点数を削減できる。
図３に実施例１の動作の第１の変形例を示す。実施例１の動作ではステップＳ１０３において、ＣＰＵ部６はアプリケーションが起動中であれば外部電源から入力される電力遮断または減少させるように構成したが、その代わりにこの例では、ステップＳ１０６において、ＣＰＵ部６が所定のアプリケーションの起動を監視し、所定のアプリケーションが起動中であるときのみ、外部電源から入力される電力を遮断または減少するように構成する。
所定のアプリケーションとして、例えば消費電力の大きいＴＶ電話機能やＴＶ放送受信機能を監視し、起動していれば外部電源から入力される電力を減少または遮断するように構成する。このようにする場合は，ステップS１０３においてＣＰＵ部６がアプリケーションが起動されたか否かを表すフラグ領域を参照したとき、所定のアプリケーションに相当するフラグ領域にフラグが１であるものがひとつでもあれば、ＣＰＵ部６の制御により電流制限制御部１３を介して外部電源から入力される電力を遮断または抑制するようにして構成する。
上記構成により、装置に高負荷がかかり発熱を生じるアプリケーションが起動している場合に、該アプリケーションの起動と同時に外部電源から入力される電力を遮断または抑制するため、効率よく発熱を低減することができる。
また、高負荷のかからないアプリケーションが起動している場合には通常の充電を行うことにより、充電を効率よく行うことができる。
【００６０】
図４に実施例１の動作の第２の変形例を示す。この例では、ステップＳ１０７においてＣＰＵ部６はアプリケーションが所定数以上起動しているかどうかを監視する。
【００６１】
この場合，ステップ１０３においてＣＰＵ部６はアプリケーションが起動されたか否かを表すフラグ領域を参照したとき、フラグが１のものをカウントし，フラグ１が２以上の場合には外部電源から入力される電力を遮断または制御するようにして構成する。例えば、所定数を２とし、音楽プレーヤー機能、Ｅメール機能を同時に使うなど２つ以上のアプリケーションが同時に起動している場合に、ＣＰＵ部６は外部電源から供給される電流を遮断または減少するように構成する。
【００６２】
上記構成により、低負荷のアプリケーションであっても、複数同時に起動し、総合的には携帯無線装置に高負荷がかかっている場合に、外部電源入力部から供給される電流を遮断または減少するため、効率よく発熱を低減することができる。
【００６３】
なお、上記構成では２つ以上のアプリケーションが同時に起動している場合について記載したが、これに限定されるものではなく、所定数以上、例えば３つ以上等でもよい。
【００６４】
図５に実施例１の第３の動作の変形例を示す。この例では、ステップＳ１０３でアプリケーションが起動中であるか否か判断し、アプリケーションが起動中であったとき、アプリケーション起動から所定時間経過したかどうかを判断する（ステップＳ１０８）。所定時間経過していない場合にはステップＳ１０３に戻り、アプリケーションが起動中であるかどうかの判定をする。所定時間を経過した場合、外部電源から入力される電力を減少させる。
【００６５】
一般に、アプリケーション起動時よりも、アプリケーションの起動から時間が経つにつれて発熱の問題が生じるため、このように構成する事により的確に発熱を低減する事ができる。この構成の場合、所定時間後に外部電源から入力される電流を減少させてもいいし、所定時間内に外部電源から入力される電流を所定値まで減少させるように構成してもよい。
【００６６】
上記構成により、アプリケーションの起動時から、アプリケーションを起動して所定時間経過後にかけて徐々にあるいは段階的に外部電源入力部から供給される電流を抑制する。発熱はアプリケーション起動時から徐々に生じるため、それに応じて電流を低減させることにより、的確に発熱を低減することができるとともに、電池の放電を極力抑えることができる。
【００６７】
なお、所定時間経過後に外部電源から入力される電力を低減・遮断するように構成したが、所定時間に所定量の電流を計時的に低減するように構成してもよい。
【００６８】
また、上記実施例では外部電源抑制表示部としてLEDを設けたが、LEDを設けずに、表示部４に、外部電源から供給される電流が減少または遮断されていることを表示させてもよい。
【００６９】
また、上記構成では電流を抑制することを特徴としたが、電圧、若しくは電圧と電流の両方を抑制するように構成してもよい。
【００７０】
また、上記構成では、電池電圧が4.2V以上のときに充電を行わないとしたが、これに限定されることはなく、電池電圧が所定値以上のときに充電を行わないように構成すればよい。
（実施例２）
図６は、本発明の第２の実施例に係る携帯無線装置の構成を示すブロック図である。第１の実施例にかかる携帯無線装置として、実施例１と同様に携帯電話２００を例に説明する。なお図６において、先の実施例１と同一部分には同一符号を付して重複説明を避ける。
【００７１】
第２の実施例は、第１の実施例の構成に加えて、新たに電力モニタ２１を有する。
【００７２】
電力モニタ２１は、電流計から構成され、電池部２から電源回路部１に供給される電流を検知する。電池部２から電源回路部１に供給される電流は一定ではなく、携帯電話２００の動作に応じて変化する。例えば、携帯電話１００でＴＶ電話やＴＶ放送受信などの高負荷のアプリケーションを実行している場合には、電池部２から電源回路部１に供給される電流値が高くなる。電流値が高くなると発熱がおきるため、この構成により携帯電話の発熱を的確に予測し、外部電源から入力される電力を制御する事によって発熱を抑制することができる。
【００７３】
図７のフローチャートを用いて、本発明の携帯電話２００の動作を説明する。
【００７４】
ステップＳ２００で第１の外部電源入力部７または第２の外部電源入力部８に外部電源が入力された場合、ステップＳ２０１で、電流制限制御部１３は，電池部２の電池残量が所定値以上であるかであるか否かを調べる。電池残量が所定値以上の場合は外部給電を行わず（S２０２）、所定値よりも小さい場合は外部給電を行う。
【００７５】
電池部２の電池残量が所定値よりも小さい場合には、ステップＳ２０３へ進む。ステップＳ２０３では、アプリケーションが起動中であるか否かを判断する。ＣＰＵ部６は、アプリケーションが起動されたか否かを表すフラグ領域を参照し、アプリケーションが起動中であるか否かを調べる。アプリケーションが起動中であると判断した場合、ステップS２０４に進む。
【００７６】
ステップ２０４では、電力モニタ２１が検知する電力が所定値の７００ｍW以上であるか否かを調べる。電力が７００ｍW以上である場合、ＣＰＵ部６は、電流制限制御部１３の外部電源から入力される電力を減少、または遮断する（ステップＳ２０５）。このとき、外部給電抑制表示部１４のＬＥＤは対応する光波長分布で点灯あるいは点滅する。アプリケーションが起動中でない場合には、電流制限制御部１３は外部電源からの電力を供給する。このとき、外部給電抑制表示部１４のＬＥＤは所定の光波長分布で点灯する。電池部２が満充電であれば外部給電をしない（ステップＳ２０２）。このとき外部給電抑制表示部１４のＬＥＤは消灯する。
【００７７】
このように、上記構成によれば、アプリケーション起動中の消費電力によって携帯無線装置にかかる負荷を検知することができる。またそれに応じて外部電源入力部から供給される電流の減少量を制御するため、効率よく発熱を低減することができるとともに、電池の放電を極力抑えることができる。
【００７８】
なお、上記構成では電力モニタ２１が検知する電力の所定値が７００ｍWとしたが、これに限定しなくてもよい。
（実施例３）
図８は、本発明の第３の実施例に係る携帯無線装置の構成を示すブロック図である。第１の実施例にかかる携帯無線装置として、実施例１、２と同様に携帯電話３００を例に説明する。なお図８において、先の実施例２と同一部分には同一符号を付して重複説明を避ける。
【００７９】
第３の実施例は、第２の実施例の構成に加えて、無線送受信部の一部に電池部２の出力を直接入力する配線を有する。
【００８０】
携帯電話の無線送受信方式の１つとして、送信と受信を時分割多重する方式がある。この場合、無線送受信回路部１５の消費電力が送信時と受信時とでは大きく異なる場合がある。もし無線送受信回路部１５への電力供給を、電力モニタ２１と電源回路部１の一経路だけにすると、電力モニタ２１の出力電圧が著しく変動し、携帯電話の送受信性能に悪影響を及ぼすことが考えられる。そのため、無線送受信回路部１５は電力モニタ２１を通過しない電力供給を設けている。この電力供給により、電力モニタ２１において、上記のような著しい出力電圧変動は生じなくなる。しかしこの構成の場合、無線送受信回路部１５の消費電力を電力モニタ２１で検出することが出来ない。
そこで実施例３は、ＣＰＵ部６によって設定される無線送受信回路部１５の無線送信レベルから、無線送受信回路部１５の電池部２から直接給電される部分の消費電力を間接的に予測する。
【００８１】
図１０のフローチャートを用いて、本発明の携帯電話の動作を説明する。
【００８２】
ステップＳ３００で第１の外部電源入力部７または第２の外部電源入力部８に外部電源が入力された場合、ステップＳ３０１で、電流制限制御部１３は，電池部２の電池残量が所定値以上であるかであるか否かを調べる。電池残量が所定値以上の場合は外部給電を行わず（Ｓ３０２）、所定値よりも小さい場合は外部給電を行う。
【００８３】
電池部２の電池残量が所定値よりも小さい場合には、ステップＳ３０３へ進む。ステップＳ３０３では、アプリケーションが起動中であるか否かを判断する。ＣＰＵ部６は、アプリケーションが起動されたか否かを表すフラグ領域を参照し、アプリケーションが起動中であるか否かを調べる。アプリケーションが起動中であると判断した場合、ステップS３０４に進む。
【００８４】
ステップS３０４では、電力モニタ２１により、電池部２から直接給電される回路以外の消費電力を調べ、ステップS３０５に進む。
【００８５】
ステップS３０５では、ＣＰＵ部６によって設定される無線送信レベルから、無線送受信回路部１５の電池部２から直接給電される部分の消費電力を間接的に予測する。そして、ステップS３０４で調べた消費電力と合わせて全体の消費電力レベルを算出し、消費電力が所定値以上の場合、ＣＰＵ部６は、電流制限制御部１３の外部電源から入力される電力を減少、または遮断する。このとき、外部給電抑制表示部１４のＬＥＤは対応する光波長分布で点灯あるいは点滅する（ステップＳ３０６）。アプリケーションが起動中でない場合には、電流制限制御部１３は外部電源からの電力を供給する。このとき、外部給電抑制表示部１４のＬＥＤは所定の光波長分布で点灯する（ステップS３０７）。このとき外部給電抑制表示部１４のＬＥＤは消灯する。
【００８６】
この構成により、上記送信と受信を時分割多重する無線方式であった場合においても、的確に発熱を低減することができる。
【００８７】
なお、上記動作ではステップＳ３０４において電池部２から直接給電される回路以外の消費電力を調べ、ステップＳ３０５で電池部２から直接給電される回路の消費電力を調べたが、この動作を入れ替えて、先に電池部２から直接給電される回路の消費電力を調べ、その後電池部２から直接給電される回路以外の消費電力を調べてもよい。
（実施例４）
図９は、本発明の第４の実施例に係る携帯無線装置の構成を示すブロック図である。第１の実施例のかかる携帯無線装置として、実施例１、２、３と同様に携帯電話４００を例に説明する。なお図９において、先の実施例３と同一部分には同一符号を付して重複説明を避ける。
【００８８】
第４の実施例は、第３の実施例の構成に加えて、新たに受信電界レベル検出部３１を有する。
【００８９】
受信電界レベル検出部３１は、無線送受信回路部１５における受信電界レベルを検知し、検知した受信電界レベルをＣＰＵ部６に送る。ＣＰＵ部６は受信電界レベル検出部３１から得られた受信電界レベルに基づき、無線送受信回路部１５の無線送信レベルを決定して無線送受信回路部１５に設定する。
そこで実施例４は、無線送受信回路部１５の受信電界レベルを調べることにより、無線送受信回路部１５の電池部２から直接給電される部分の消費電流を間接的に予測する。
【００９０】
本発明の携帯電話の動作を第３の実施例で用いた図と同じ図１０のフローチャートを用いて、説明する。
【００９１】
ステップＳ３００で第１の外部電源入力部７または第２の外部電源入力部８に外部電源が入力された場合、ステップＳ３０１で、電流制限制御部１３は，電池部２の電池残量が所定値以上であるかであるか否かを調べる。電池残量が所定値以上の場合は外部給電を行わず（Ｓ３０２）、所定値よりも小さい場合は外部給電を行う。
【００９２】
電池部２の電池残量が所定値よりも小さい場合には、ステップＳ３０３へ進む。ステップＳ３０３では、アプリケーションが起動中であるか否かを判断する。ＣＰＵ部６は、アプリケーション起動されたか否かを表すフラグ領域を参照し、アプリケーションが起動中であるか否かを調べる。アプリケーションが起動中であると判断した場合、ステップS３０４に進む。
【００９３】
ステップS３０４では、電力モニタ２１により、電池部２から直接給電される回路以外の消費電力を調べ、ステップS３０５に進む。
【００９４】
ステップS３０５では、受信電界レベル検出部３１で検出される無線受信レベルから、無線送受信回路部１５の電池部２から直接給電される部分の消費電力を間接的に予測する。そして、ステップS３０４で調べた消費電力と合わせて全体の消費電力レベルを算出し、消費電力が所定値以上の場合、ＣＰＵ部６は、電流制限制御部１３の外部電源から入力される電力を減少、または遮断する。このとき、外部給電抑制表示部１４のＬＥＤは対応する光波長分布で点灯あるいは点滅する（ステップＳ３０６）。アプリケーションが起動中でない場合には、電流制限制御部１３は外部電源からの電力を供給する。このとき、外部給電抑制表示部１４のＬＥＤは所定の光波長分布で点灯する（ステップS３０７）。このとき外部給電抑制表示部１４のＬＥＤは消灯する。
【００９５】
上記構成によれば、受信無線強度または送信無線強度、またはその双方に応じて外部電源入力部から供給される電流の減少量を制御するため、的確に発熱を低減することができるとともに、電池の放電を極力抑えることができる。
【００９６】
またこの構成により、上記送信と受信を時分割多重する無線方式であった場合においても、的確に発熱を低減することができる。
【００９７】
なお、上記動作ではステップＳ３０４において電池部２から直接給電される回路以外の消費電力を調べ、ステップＳ３０５で電池部２から直接給電される回路の消費電力を調べたが、この動作を入れ替えて、先に電池部２から直接給電される回路の消費電力を調べ、その後電池部２から直接給電される回路以外の消費電力を調べてもよい。
【産業上の利用可能性】
【００９８】
以上のように、本発明における携帯無線装置及び充電制御方法は、携帯電話に限らず、ＰＨＳ，ＰＤＡ等の小型無線端末の用途にも適用できる。
【図面の簡単な説明】
【００９９】
【図１】本発明の実施形態１に係る携帯電話の構成を示したブロック図
【図２】本発明の実施形態１に係る携帯電話の充電制御動作を示したフローチャート
【図３】本発明の実施形態１の変形例に係る携帯電話の充電制御動作を示したフローチャート
【図４】本発明の実施形態１の変形例に係る携帯電話の充電制御動作を示したフローチャート
【図５】本発明の実施形態１の変形例に係る携帯電話の充電制御動作を示したフローチャート
【図６】本発明の実施形態２に係る携帯電話の構成を示したブロック図
【図７】本発明の実施形態２に係る携帯電話の充電制御動作を示したフローチャート
【図８】本発明の実施形態３に係る携帯電話の構成を示したブロック図
【図９】本発明の実施形態４に係る携帯電話の構成を示したブロック図
【図１０】本発明の実施形態３および４に係る携帯電話の充電制御動作を示したフローチャート
【符号の説明】
【０１００】
１  電源回路部
２  電池部
３  メモリ部
４  表示部
５  操作部
６  ＣＰＵ部
７  第１の外部電源入力部
８  第２の外部電源入力部
９  外部電源接続検出・通電制御部
１０  電圧検出部
１１  電流検出部
１２  電流制限部
１３  電流制限制御部
１４  外部電源抑制表示部
１５  無線送受信回路部
１６  アンテナ
２１  電力モニタ
３１  受信電界レベル検出部
１００  携帯電話
【図１】
2007281911.tif 000003
【図２】
2007281911.tif 000004
【図３】
2007281911.tif 000005
【図４】
2007281911.tif 000006
【図５】
2007281911.tif 000007
【図６】
2007281911.tif 000008
【図７】
2007281911.tif 000009
【図８】
2007281911.tif 000010
【図９】
2007281911.tif 000011
【図１０】
2007281911.tif 000012